(57)【特許請求の範囲】
【請求項１】
前面を開口とする盤本体と、
上記盤本体に取り付けられ、窓孔が設けられたキャビネット扉と、
上記キャビネット扉に配設される地図シートと、
上記地図シートの裏面側に配設され、多数の固定穴が形成された表示灯固定板と、
上記表示灯固定板の上記固定穴に挿入されて、上記地図シートを照射する表示灯ユニットと、を備え、
上記表示灯ユニットは、表示灯を収納するケースと、上記ケースから突出するように成形された柱状の光ガイドと、上記光ガイドとともに上記固定穴に挿入されて弾性変形し、上記表示灯ユニットを上記表示灯固定板に弾性保持させる弾性材成形体と、を備えている火災受信機。
【請求項２】
上記弾性材成形体は、上記光ガイドに外嵌状態に装着され、上記光ガイドとともに上記固定穴に挿入されて弾性変形し、上記表示灯ユニットを上記表示灯固定板に弾性保持させる筒状の基部と、上記基部の外周面の同一外周上に、周方向に互いに離間して複数突設され、上記基部が上記固定穴に挿入されたときに、少なくとも一部が上記固定穴から上記表示灯固定板の表面側に突出して、上記弾性材成形体の上記固定穴からの抜けを阻止する突起部と、を備える請求項１記載の火災受信機。
【請求項３】
上記弾性材成形体は、断面Ｕ字状の筒体に作製され、断面Ｕ字状の開口を上記ケースに向けて上記光ガイドに外嵌状態に装着されている請求項１記載の火災受信機。
【請求項４】
上記表示灯ユニットは、上記表示灯の発光色が異なる複数種類の表示灯ユニットを有し、上記弾性材成形体が、上記複数種類の表示灯ユニットの種類毎に専用の色に形成されている請求項１から請求項３のいずれか１項に記載の火災受信機。
【請求項５】
回り止め穴が、上記固定穴のそれぞれに対応して上記表示灯固定板に形成され、
回り止めピンが、上記回り止め穴に嵌合可能に、上記ケースの上記表示灯固定板の裏面に相対する面に立設されている請求項１から請求項４のいずれか１項に記載の火災受信機。
【請求項６】
ストッパが、上記ケースの上記表示灯固定板の裏面に相対する面に突設され、上記光ガイドが上記固定穴に挿入されたときに、上記表示灯固定板の裏面に当接する請求項１から請求項５のいずれか１項に記載の火災受信機。
【請求項７】
上記ストッパが、上記表示灯固定板の裏面に当接したときに、上記弾性材成形体の上記ケース側の端部が上記固定穴から上記ケース側に延出するように構成されている請求項６記載の火災受信機。
【請求項８】
上記地図シートには、上記表示灯が発光する光をとおす透光部が設けられ、
上記表示灯固定板の表面側に配設され、挿通穴が上記固定穴のそれぞれに対応するように形成された地図シート取付板を備え、
上記地図シートが上記透光部を上記挿通穴にあわせて上記地図シート取付板の表面側に配設されているとともに、上記固定穴に挿入された上記光ガイドの先端部が上記挿通穴に嵌合されている請求項１から請求項７のいずれか１項に記載の火災受信機。
【請求項９】
上記地図シートには、上記表示灯が発光する光をとおす透光部が設けられ、
上記表示灯固定板の表面側に配設され、挿通穴が上記固定穴のそれぞれに対応するように形成された地図シート取付板を備え、
上記地図シートが上記透光部を上記挿通穴にあわせて上記地図シート取付板の表面側に配設されているとともに、上記固定穴に挿入された上記光ガイドと上記地図シート取付板の裏面との間に隙間が形成され、上記挿通穴の直径が上記光ガイドの直径より大きい請求項１から請求項７のいずれか１項に記載の火災受信機。
【発明の詳細な説明】
【技術分野】
【０００１】
この発明は、火災受信機に関し、特に、警戒監視区域が地図などによって図形化表示された表示部の構造に関するものである。
【背景技術】
【０００２】
従来の火災受信機の表示部は、扉の裏面側に設けられ、警戒監視区域が地図などにより図形化表示されて透光部を有する地図シートと、地図シートの裏面側に設けられ、多数の挿通穴が形成された挿通板と、挿通板の裏面側に設けられ、多数の挿通穴に対応して、多数の固定穴が形成された固定シートと、固定シートの裏面側に設けられ、固定シートを挿通板の裏面側に保持する押さえ部材と、押さえ部材の裏面側から固定穴および挿通穴に挿入されて、地図シートの透光部を照射する表示素子と、を備え、固定シートは弾性体からなり、固定穴の内径は表示素子の外径より狭く、表示素子は固定シートの弾性により固定穴内で固定されていた（例えば、特許文献１参照）。
【先行技術文献】
【特許文献】
【０００３】
【特許文献１】特開２００８−１２９７４２号公報
【発明の概要】
【発明が解決しようとする課題】
【０００４】
従来の火災受信機では、設置場所などの変更により、警戒監視区域のレイアウト変更が行われ、表示部もそれにあわせて変更することになる。そして、表示部では、既設の地図シートを新たな地図シートに取り替え、表示素子を固定穴および挿通穴から取り外し、新たな地図シートの透光部にあわせて、表示素子を固定穴および挿通穴に挿入して固定することになる。したがって、地図シートの全面に対応する大きな固定シートが必要となり、装置がコストアップするという課題があった。
【０００５】
また、固定シートがシリコーンゴムやエラストマーなどの弾性材からなる柔らかな、かつ大きなシート状に作製されているので、全ての固定穴が挿通穴のそれぞれと同芯となるように挿通板と固定シートを位置決めしにくく、組立性が悪化する課題があった。また、芯ずれが発生した固定穴と挿通穴には、表示素子を挿入しづらくなるという虞がある。仮に、固定穴と挿通穴とが同芯となるように挿通板と固定シートを組み立てたとしても、挿通板と固定シートとの熱膨張係数差から、経時的に、固定穴と挿通穴との芯ずれが発生する可能性がある。そこで、警戒監視区域のレイアウト変更が行われた場合、固定穴および挿通穴から取り外された表示素子を新たな固定穴と挿通穴に挿入しづらくなるという虞がある。
【０００６】
この発明は、上記の課題を解決するためになされたものであり、弾性材からなる大きな固定シートを不要とし、弾性材の使用量を削減でき、低コスト化を図ることができるとともに、組立性および表示灯ユニットの装着作業性を向上できる火災受信機を得ることを目的とする。
【課題を解決するための手段】
【０００７】
この発明による火災受信機は、前面を開口とする盤本体と、上記盤本体に取り付けられ、窓孔が設けられたキャビネット扉と、上記キャビネット扉に配設される地図シートと、上記地図シートの裏面側に配設され、多数の固定穴が形成された表示灯固定板と、上記表示灯固定板の上記固定穴に挿入されて、上記地図シートを照射する表示灯ユニットと、を備える。上記表示灯ユニットは、表示灯を収納するケースと、上記ケースから突出するように成形された柱状の光ガイドと、上記光ガイドとともに上記固定穴に挿入されて弾性変形し、上記表示灯ユニットを上記表示灯固定板に弾性保持させる弾性材成形体と、を備えている。
【発明の効果】
【０００８】
この発明によれば、光ガイドに外嵌状態に装着されたエラストマー成形体により表示灯ユニットを表示灯固定板に弾性保持しているので、地図シートの全面に対応する大きな固定シートが不要となる。そこで、弾性材の使用量を削減でき、低コスト化が図られる。また、透光部に対する固定穴の位置合わせが容易となり、組立性が向上される。さらに、弾性材成形体が外嵌状態に装着された光ガイドを表示灯固定板に形成された固定穴に挿入して表示灯ユニットが表示灯固定板に装着されるので、表示灯ユニットの装着作業性が向上される。
【図面の簡単な説明】
【０００９】
【図１】この発明の実施の形態１に係る火災受信機を正面側から見た斜視図である。
【図２】この発明の実施の形態１に係る火災受信機におけるキャビネット扉を背面側から見た斜視図である。
【図３】この発明の実施の形態１に係る火災受信機におけるキャビネット扉の表示部を開けた状態を背面側から見た斜視図である。
【図４】この発明の実施の形態１に係る火災受信機におけるキャビネット扉の表示部を背面側から見た分解斜視図である。
【図５】この発明の実施の形態１に係る火災受信機における表示灯ユニットを示す斜視図である。
【図６】この発明の実施の形態１に係る火災受信機における表示灯ユニットを正面側から見た分解斜視図である。
【図７】この発明の実施の形態１に係る火災受信機における表示灯ユニットを裏面側から見た分解斜視図である。
【図８】この発明の実施の形態１に係る火災受信機における表示灯ユニットの要部を示す一部破断側面図である。
【図９】この発明の実施の形態１に係る火災受信機における表示灯ユニットの装着状態を説明する斜視図である。
【図１０】この発明の実施の形態１に係る火災受信機における表示灯ユニットの装着状態を説明する断面図である。
【図１１】この発明の実施の形態２に係る火災受信機における表示灯ユニットの装着状態を説明する斜視図である。
【図１２】この発明の実施の形態２に係る火災受信機における表示灯ユニットの装着状態を説明する断面図である。
【図１３】この発明の実施の形態３に係る火災受信機における表示灯ユニットの要部を示す一部破断側面図である。
【発明を実施するための形態】
【００１０】
以下、本発明の火災受信機の好適な実施の形態につき図面を用いて説明する。
【００１１】
実施の形態１．
図１はこの発明の実施の形態１に係る火災受信機を正面側から見た斜視図、図２はこの発明の実施の形態１に係る火災受信機におけるキャビネット扉を背面側から見た斜視図、図３はこの発明の実施の形態１に係る火災受信機におけるキャビネット扉の表示部を開けた状態を背面側から見た斜視図、図４はこの発明の実施の形態１に係る火災受信機におけるキャビネット扉の表示部を背面側から見た分解斜視図である。
【００１２】
図１から図４において、火災受信機１は、警戒監視区域に設けられた火災感知器、防火扉などの端末機器が接続されて、それらの端末機器の作動状況を監視制御するものであり、前面が開口する略直方体の箱形に作製された盤本体２と、盤本体２の前面開口を塞口するように盤本体２に取り付けられたキャビネット扉３と、を備えている。キャビネット扉３の前面上部には、窓孔４が形成されている。そして、透明カバー５が、窓孔４を塞ぐように、キャビネット扉３の背面に取り付けられている。
【００１３】
火災受信機１は、表示部６と、操作部７と、を備えている。表示部６は、警戒監視区域が地図１０ａなどによって図形化表示されており、キャビネット扉３の裏面側に配設されて、地図１０ａが窓孔４を通して視認可能となっている。さらに、表示部６には、端末機器の設置場所などにあわせて、地図１０ａに透光部１０ｂが形成されている。また、後述するように、表示灯ユニット２０が、透光部１０ｂにあわせて、裏面側に配設され、端末機器の作動状況、例えば火災感知器の火災感知結果を、表示灯ユニット２０の点灯の状態によって報知するようにしている。また、表示灯２１の発光色を１種類とし、透光部１０ｂに付されるリングの色を火災、ガス漏れ、防排煙装置や消火設備などの種別毎に色分けしている。そこで、表示灯ユニット２０の点灯または点滅の状態、すなわち透光部１０ｂの点灯または点滅の状態と、透光部１０ｂに付されたリングの色から、使用者が、端末機器の作動状況、例えば警戒監視区域の火災の発生状態を知ることができる。
【００１４】
表示部６は、具体的には、地図シート１０、地図シート１０の裏面側に配設される地図シート取付板１１、地図シート取付板１１の裏面側に配設される表示灯固定板１３、および表示灯固定板１３に裏面側から挿入、固定される表示灯ユニット２０を備える。
【００１５】
地図シート１０は、例えばＰＥＴ樹脂などからなる矩形形状のシートである。地図シート１０の表面には、印刷などにより、警戒監視区域が地図１０ａなどによって図形化表示され、端末機器の設置場所などにあわせて、地図１０ａに透光部１０ｂが形成されている。
【００１６】
地図シート取付板１１は、鋼板で略矩形平板状に作製され、挿通穴１２が一定の間隔、例えば１５ｍｍピッチで多数行、多数列に形成されている。そして、地図シート１０が、透光部１０ｂを挿通穴１２にあわせて、地図シート取付板１１の表面に取り付けられる。
【００１７】
表示灯固定板１３は、鋼板で矩形平板状に作製され、固定穴１４が挿通穴１２と同じ配列に形成されている。また、回り止め穴１５が、固定穴１４のそれぞれに近接して表示灯固定板１３に形成されている。そして、表示灯固定板１３が、固定穴１４を挿通穴１２のそれぞれと同芯となるように、かつ地図シート取付板１１との間に一定の間隔を確保して、地図シート取付板１１の裏面側に取り付けられる。さらに、表示灯ユニット２０が、表示灯固定板１３の裏面側から所望の固定穴１４に挿入して固定される。
【００１８】
このように、地図シート１０、地図シート取付板１１、表示灯固定板１３および表示灯ユニット２０を一体化して表示部６が構成される。表示部６は、蝶番８により、キャビネット扉３の背面に取り付けられ、地図１０ａが窓孔４を通して視認可能となる。
【００１９】
つぎに、表示灯ユニット２０の構造および表示灯固定板１３への装着について図５から図１０を参照しつつ説明する。図５はこの発明の実施の形態１に係る火災受信機における表示灯ユニットを示す斜視図であり、図５の（ａ）は正面側から見た図、図５の（ｂ）は裏面側から見た図である。図６はこの発明の実施の形態１に係る火災受信機における表示灯ユニットを正面側から見た分解斜視図、図７はこの発明の実施の形態１に係る火災受信機における表示灯ユニットを裏面側から見た分解斜視図、図８はこの発明の実施の形態１に係る火災受信機における表示灯ユニットの要部を示す一部破断側面図、図９はこの発明の実施の形態１に係る火災受信機における表示灯ユニットの装着状態を説明する斜視図、図１０はこの発明の実施の形態１に係る火災受信機における表示灯ユニットの装着状態を説明する断面図である。
【００２０】
表示灯ユニット２０は、チップＬＥＤなどからなる表示灯２１が実装された表示灯実装基板２２と、表示灯実装基板２２を収納保持するケース２４と、表示灯２１が発する光をガイドする光ガイド２５と、を備える。
【００２１】
表示灯実装基板２２は、矩形平板状に作製され、貫通穴２２ａが形成されている。そして、表示灯２１が貫通穴２２ａ内に露呈するように表示灯実装基板２２の裏面側に実装されている。また、雌型コネクタ部２３が表示灯実装基板２２の裏面側に実装されている。
【００２２】
ケース２４は、裏面側を開口とする直方体の箱形に作製されている。そして、円柱状の光ガイド２５が、軸方向をケース２４の前面部の表面と直交するようにして、ケース２４の前面部の表面側と裏面側とに突出するように、ケース２４に形成されている。ケース２４と光ガイド２５は、ポリカーボネート樹脂などの透光性樹脂を用いて一体に成形されている。光ガイド２５の先端面にシボ加工処理（梨地処理）が施され、光ガイド２５の先端面を粗面化している。ストッパ２６が、ケース２４の前面部の表面の四隅に、同じ高さに形成されている。さらに、回り止めピン２７が、回り止め穴１５に対応するように、ケース２４の前面部の表面に、ストッパ２６より高い高さに形成されている。
【００２３】
弾性材成形体２８は、シリコーンゴムやエラストマーなどの弾性を備えた樹脂からなる弾性材により作製され、円筒状の基部２８ａと、基部２８ａの外周面の同一円周上に、周方向に互いに離間して、一定の高さに形成された断面半円状の複数の突起部２８ｂと、を備える。弾性材成形体２８は、基部２８ａを光ガイド２５に外嵌状態に装着され、熱融着などにより光ガイド２５に固着されている。光ガイド２５に固着された弾性材成形体２８においては、基部２８ａの下端のケース２４の前面部の表面からの高さが、ストッパ２６の高さより低くなっている。また、突起部２８ｂの下端が、ストッパ２６に接する表示灯固定板１３の表面より僅かに低くなっている。
【００２４】
そして、表示灯実装基板２２が、ケース２４の開口から挿入されて、ケース２４内に保持され、表示灯ユニット２０が組み立てられる。このとき、光ガイド２５は、貫通穴２２ａを介して表示灯２１と相対し、光ガイド２５の軸心が、表示灯２１が発する光の光軸と一致している。
【００２５】
このように組み立てられた表示灯ユニット２０は、図９および図１０に示されるように、ストッパ２６が表示灯固定板１３の裏面に接するまで、光ガイド２５を裏面側から固定穴１４に圧入して、表示灯固定板１３に保持される。そして、回り止めピン２７が回り止め穴１５に挿入される。さらに、光ガイド２５は、地図シート取付板１１の裏面からケース２４側に離間している。また、挿通穴１２の直径は、光ガイド２５の直径より大きくなっている。
【００２６】
この実施の形態１によれば、弾性材成形体２８が外嵌状態に装着された光ガイド２５を表示灯固定板１３に形成された固定穴１４に圧入し、弾性材成形体２８の弾性力により、表示灯ユニット２０を表示灯固定板１３に弾性保持しているので、地図シート１０の全面に対応する大きな固定シートが不要となる。そこで、エラストマーなどの弾性材の使用量が削減され、火災受信機１の低コスト化が図られる。また、柔らかな、大きな固定シートを用いることによる芯ずれが発生する虞はなく、表示灯ユニット２０を表示灯固定板１３に簡易に組み付けることができ、表示灯ユニット２０の装着作業性が高められるとともに、火災受信機１の組立性が高められる。さらに、警戒監視区域のレイアウト変更が行われた場合でも、固定穴１４から取り外し、新たな固定穴１４に装着する表示灯ユニット２０の配置換えを簡易に行える。
【００２７】
地図シート取付板１１と表示灯固定板１３を鋼板で作製している。そこで、挿通穴１２と固定穴１４とが同芯となるように地図シート取付板１１と表示灯固定板１３とを簡易に、かつ精度よく位置決めできる。しかも、熱膨張係数差に起因する挿通穴１２と固定穴１４との芯ずれの発生がない。したがって、警戒監視区域のレイアウト変更が行われた場合でも、固定穴１４から取り外された表示灯ユニット２０を新たな固定穴１４に簡易に挿入できる。
【００２８】
回り止めピン２７が回り止め穴１５に挿入されているので、表示灯ユニット２０の光ガイド２５周りの回動が阻止される。そこで、隣接する表示灯ユニット２０同士が衝突して破損するような事態の発生を未然に回避できる。
【００２９】
光ガイド２５は、地図シート取付板１１の裏面からケース２４側に離間し、挿通穴１２の直径が、光ガイド２５の直径より大きくなっている。そして、光ガイド２５の先端面は、曲面に形成されるとともに、梨地処理が施されているので、光の拡散性が高められている。そこで、光ガイド２５から出射する光が拡散して挿通穴１２を通過するので、挿通穴１２の内壁面をテーパー加工することなく、透光部１０ｂの点灯面積を大きくすることができる。したがって、透光部１０ｂの点灯面積を広くしたいという要求に簡易に、かつ安価に対応することができる。
【００３０】
表示灯実装基板２２に雌型コネクタ部２３が実装されているので、電源線に接続された雄型コネクタを雌型コネクタ部２３に装着するだけで、表示灯ユニット２０に電源線を接続できる。そこで、電源線を表示灯実装基板２２に半田付けするような煩雑な作業が不要となり、火災受信機１の組立性が高められる。また、警戒監視区域のレイアウト変更が行われた場合でも、表示灯ユニット２０の配置換えを簡易に行える。
【００３１】
つぎに、弾性材成形体２８を用いることによる効果について説明する。
【００３２】
まず、固定穴１４の直径は、光ガイド２５の直径より大きく、弾性材成形体２８の基部２８ａの外径より小さくなっている。そこで、弾性材成形体２８が装着された光ガイド２５を裏面側から固定穴１４に圧入すると、基部２８ａの固定穴１４内を通る部分が圧縮され、圧縮された部分が固定穴１４のケース２４側に逃げ、膨出部２９が形成される。そして、光ガイド２５の圧入が進むにつれ、膨出部２９が基部２８ａの下端側にシフトする。
【００３３】
ここで、ストッパ２６の高さが、光ガイド２５に装着された弾性材成形体２８の基部２８ａの下端より高くなっているので、ストッパ２６が表示灯固定板１３の裏面に接すると、膨出部２９は、表示灯固定板１３とケース２４との間に位置し、表示灯固定板１３をケース２４から離反させるような反発力は発生しない。そこで、表示灯ユニット２０は、基部２８ａの固定穴１４内の圧縮部分の反発力により、がたつきなく、表示灯固定板１３に弾性保持される。
【００３４】
また、光ガイド２５に固着された弾性材成形体２８においては、基部２８ａの下端の、ケース２４の前面部の表面からの高さが、ストッパ２６の高さより低くなっている。そして、突起部２８ｂの下端が、ストッパ２６に接する表示灯固定板１３の表面より僅かに低くなっている。そこで、ストッパ２６が表示灯固定板１３の裏面に接した状態では、突起部２８ｂの下端側が固定穴１４内に位置して圧縮され、圧縮された部分が表示灯固定板１３の表面側に逃げ、突起部２８ｂの表示灯固定板１３の表面側に突き出ている部分が膨出する。その膨出部分の反発力が、表示灯固定板１３をケース２４側に付勢するように作用する。そこで、仮に、膨出部２９の反発力が表示灯固定板１３をケース２４から離反させるように作用しても、表示灯ユニット２０を表示灯固定板１３にがたつきなく強固に保持できる。
【００３５】
ここで、突起部２８ｂの下端が、ストッパ２６に接する表示灯固定板１３の表面と同じ、又は高くなっていれば、表示灯ユニット２０の固定穴１４から抜け難くすることができる。
【００３６】
また、突起部２８ｂが基部２８ａの外周面の同一円周上に周方向に互いに離間して複数設けられているので、突起部２８ｂが互いに連結している場合と比較して、弾性材成形体２８が装着された光ガイド２５を裏面側から固定穴１４に簡易に圧入することができる。
【００３７】
なお、上記実施の形態１では、突起部２８ｂを具備する弾性材成形体２８を用いているが、突起部のない基部のみの弾性材成形体を用いてもよい。
また、上記実施の形態１では、弾性材成形体２８が光ガイド２５に融着されているが、弾性材成形体は、光ガイド２５に外嵌状態に装着され、固定穴１４に圧入されることで、表示灯ユニット２０が弾性保持されればよい。
【００３８】
実施の形態２．
図１１はこの発明の実施の形態２に係る火災受信機における表示灯ユニットの装着状態を説明する斜視図、図１２はこの発明の実施の形態２に係る火災受信機における表示灯ユニットの装着状態を説明する断面図である。
【００３９】
図１１および図１２において、地図シート取付板１１の挿通穴１２が、光ガイド２５の直径と同等の直径に形成され、光ガイド２５の先端部が、地図シート取付板１１の挿通穴１２に挿入されている。
なお、他の構成は上記実施の形態１と同様に構成されている。
したがって、実施の形態２においても、上記実施の形態１と同様の効果が得られる。
【００４０】
この実施の形態２によれば、光ガイド２５の先端部が、地図シート取付板１１の挿通穴１２に挿入されているので、表示灯ユニット２０を位置精度よく固定できるとともに、表示灯ユニット２０のがたつきの発生を抑制できる。
【００４１】
実施の形態３．
図１３はこの発明の実施の形態３に係る火災受信機における表示灯ユニットの要部を示す一部破断側面図である。
【００４２】
図１３において、弾性材成形体３０は、シリコーンゴムやエラストマーなどの弾性を備えた樹脂からなる弾性材により、断面Ｕ字状の円筒体に作製され、断面Ｕ字状の開口側をケース２４側に向けて光ガイド２５に外嵌状態に装着され、融着などにより光ガイド２５に固着されている。
なお、他の構成は上記実施の形態１と同様に構成されている。
【００４３】
弾性材成形体２０に替えて弾性材成形体３０を用いた表示灯ユニット２０Ａにおいても、ストッパ２６が表示灯固定板１３の裏面に接するまで、光ガイド２５を裏面側から固定穴１４に圧入する。これにより、弾性材成形体３０の固定穴１４内の部分が圧縮し、その反発力により、表示灯ユニット２０Ａが表示灯固定板１３に弾性保持される。
したがって、実施の形態３においても、上記実施の形態１と同様の効果が得られる。
【００４４】
なお、上記実施の形態１，２では、弾性材成形体が断面矩形の円筒体に作製され、上記実施の形態３では、弾性材成形体が断面Ｕ字状の円筒体に作製されているが、弾性材成形体は、固定穴への圧入により、表示灯ユニットを弾性保持できればよく、断面矩形や断面Ｕ字状の円筒体に限定されない。
また、上記各実施の形態では、鋼板製の地図シート取付板１１を用いているが、地図シート１０を透明カバー５の裏面に高い位置精度で取り付けられれば、地図シート取付板１１を省略することができる。
【００４５】
また、上記各実施の形態では、表示灯の発光色を１種類とし、透光部１０ｂに付されるリングの色を火災、ガス漏れ、防排煙装置や消火設備などの種別毎に色分けしているが、火災、ガス漏れ、防災などの種別毎に、表示灯の発光色を変えてもよい。この場合、種別毎に、弾性材成形体の色を変えれば、表示灯ユニットの誤組付けの発生を抑制することもできる。
【００４６】
また、上記実施の形態１，２では、突起部２８ｂが基部２８ａの外周面の同一円周上に周方向に互いに離間して複数設けられるようにしたが、突起部２８ｂが互いに連結してリング状に形成されてもよい。
【００４７】
また、上記実施の形態１では、回り止め穴１５が、固定穴１４のそれぞれに近接して表示灯固定板１３に形成され、回り止めピン２７が、回り止め穴１５に対応するように、ケース２４の前面部の表面に設けられるものとしたが、回り止め穴１５をケース２４の前面部の表面に設け、回り止めピン２７を表示灯固定板１３に形成してもよい。
【符号の説明】
【００４８】
１  火災受信機、２  盤本体、３  キャビネット扉、４  窓孔、１０  地図シート、１０ｂ  透光部、１１  地図シート取付板、１２  挿通穴、１３  表示灯固定板、１４  固定穴、１５  回り止め穴、２０，２０Ａ  表示灯ユニット、２１  表示灯、２２  表示灯実装基板、２３  雌型コネクタ、２４  ケース、２５  光ガイド、２６  ストッパ、２７  回り止めピン、２８，３０  弾性材成形体、２８ａ  基部、２８ｂ  突起部。
【図１】
0006485804.tif 000002
【図２】
0006485804.tif 000003
【図３】
0006485804.tif 000004
【図４】
0006485804.tif 000005
【図５】
0006485804.tif 000006
【図６】
0006485804.tif 000007
【図７】
0006485804.tif 000008
【図８】
0006485804.tif 000009
【図９】
0006485804.tif 000010
【図１０】
0006485804.tif 000011
【図１１】
0006485804.tif 000012
【図１２】
0006485804.tif 000013
【図１３】
0006485804.tif 000014